Podtech/llm-jp-corpus-v4-ja_patent huggingface dataset:
【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
溶着対象物に、押圧面を押圧しつつ超音波振動を伝達する工具ホーンであって、
前記押圧面を曲面とし、
前記押圧面の曲面全面にわたって複数の凸部または凹部を分散して形成し、
前記複数の凸部または凹部は、前記溶着対象物に押圧される角度に関わらず当該溶着対象物に食い込む断面形状をなしていることを特徴とする工具ホーン。
【請求項２】
樹脂成形品に載置した繊維質マットを超音波溶着する工具ホーンであって、
前記工具ホーンの押圧面を曲面とし、
前記押圧面の曲面全面にわたって複数の凸部または凹部を分散して形成し、
前記複数の凸部または凹部は、前記溶着対象物に押圧される角度に関わらず当該溶着対象物の前記溶着予定領域の中心部分とその周辺部分に食い込む断面形状をなし、
前記繊維質マットの表面に対して前記工具ホーンが垂直または垂直に近い角度から押圧したいずれの場合においても、前記工具ホーンの凸部または凹部によって前記溶着対象物である繊維質マットの溶着予定領域の中心部分とその周辺部分にアンカー効果を付与して溶着するようにしたことを特徴とする工具ホーン。
【請求項３】
前記垂直に近い角度とは、垂直を基準としていずれかの方向に１０度傾斜するまでの角度とすることを特徴とする請求項２に記載の工具ホーン。
【請求項４】
樹脂成形品に載置した繊維質マットを超音波溶着する工具ホーンであって、
前記工具ホーンの押圧面を曲面とし、
複数の凸部または凹部を前記押圧面の曲面の頂点を中心とした同心円状と放射線状に形成して、前記同心円状の凸部または凹部と前記放射線状の凸部または凹部が交差するように配置し、
前記複数の凸部または凹部は、前記溶着対象物に押圧される角度に関わらず当該溶着対象物に食い込む断面形状をなしていることを特徴とする工具ホーン。
【請求項５】
前記凸部を断面Ｖ字状突起として形成したことを特徴とする請求項１から４のいずれかに記載の工具ホーン。
【請求項６】
前記凹部を断面Ｖ字状溝として形成したことを特徴する請求項１から４のいずれかに記載の工具ホーン。
【請求項７】
前記凹部を断面Ｖ字状穴として形成したことを特徴とする請求項１から４のいずれかに記載の工具ホーン。
【請求項８】
前記押圧面の曲面は半球面であることを特徴とする請求項１から７のいずれかに記載の工具ホーン。
【請求項９】
前記押圧面の曲面は交差する大小２つの異なった曲率半径を用いた曲面であることを特徴とする請求項１から７のいずれかに記載の工具ホーン。
【請求項１０】
請求項１から９のいずれか記載の工具ホーンと、
前記工具ホーンと接続され、当該工具ホーンに超音波振動を与える超音波振動発生手段と、
を備えたことを特徴とする超音波溶着装置。
【請求項１１】
前記工具ホーンは、手動で取り回し可能であることを特徴とする請求項１０記載の超音波溶着装置。
【手続補正２】
【補正対象書類名】明細書
【補正対象項目名】００１３
【補正方法】変更
【補正の内容】
【００１３】
本発明の工具ホーンは、樹脂成形品に載置した繊維質マット等の溶着対象物に、押圧面を押圧しつつ超音波振動を伝達する工具ホーンであって、押圧面を曲面とし、この押圧面の曲面全面にわたって複数の凸部または凹部を分散して形成し、前記複数の凸部または凹部は、前記溶着対象物に押圧される角度に関わらず当該溶着対象物に食い込む断面形状をなしている。そして、前記繊維質マットの表面に対して前記工具ホーンが垂直または垂直に近い角度から押圧したいずれの場合においても、前記工具ホーンの凸部または凹部によって前記溶着対象物である繊維質マットの溶着予定領域の中心部分とその周辺部分にアンカー効果を付与して溶着するようにしている。
この構成を採ることにより、工具ホーンを溶着対象物に対して傾いた角度で押圧したとしても、溶着予定領域の中心とその周辺部分を工具ホーンの押圧面と凸部または凹部で押圧する。そして、溶着予定領域の中心とその周辺部分を溶着する。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記各循環表示手段による前記絵柄の循環表示を開始させるべく操作される開始操作手段と、
役の抽選を行う抽選手段と、
前記絵柄の循環表示を個別に停止させるべく操作される複数の停止操作手段と、
前記役の抽選に当選した当選役と対応する当選絵柄が有効位置に停止した場合、遊技者に特典を付与する特典付与手段と
を備えた遊技機において、
特定演出を実行可能な特定演出実行手段と、
前記特定演出が実行されたことに基づいて、前記特定演出を再度実行させる特定演出再実行手段と
を備えたことを特徴とする遊技機。
【請求項２】
前記特定演出の開始契機を決定するとともに、前記各循環表示手段の全てが前記絵柄の循環表示を行っている初期状況と、前記各循環表示手段のいずれかが停止する第１停止状況と、前記各循環表示手段の複数が停止する第２停止状況と、前記各循環表示手段の全てが停止する第３停止状況と、のうち少なくとも２つを前記開始契機として決定可能な開始契機決定手段と、前記開始契機となったか否かを判定する判定手段と、前記開始契機決定手段の決定した開始契機となった場合に前記特定演出を開始させる特定演出開始手段と、前記開始契機決定手段の決定した開始契機となった場合に、前記開始操作手段と前記各停止操作手段とのうちいずれが操作されたかを把握する操作把握手段と、前記操作把握手段の把握結果を記憶する把握結果記憶手段と、前記開始契機決定手段の決定した開始契機となった後に遊技者による特定操作がなされたか否かを判定する特定操作判定手段と、を備え、前記特定演出再実行手段は、前記特定操作判定手段が前記特定操作がなされたと判定した場合、前記特定演出を再度実行させることを特徴とする請求項１に記載の遊技機。
【請求項３】
前記特定演出再実行手段は、前記各循環表示手段のうち少なくとも１つが前記絵柄の循環表示を行っている最中に前記特定演出を再度実行させることが可能であることを特徴とする請求項１又は請求項２に記載の遊技機。
【請求項４】
前記特定演出実行手段は、前記特定演出を含むとともに遊技の進行に伴って進行する補助演出を実行可能な構成であって、前記補助演出を実行している最中に前記特定演出再実行手段が前記特定演出を再実行させる場合、前記補助演出と前記特定演出を共に実行することを特徴とする請求項１乃至請求項３のいずれかに記載の遊技機。
【手続補正書】
【提出日】平成24年11月30日(2012.11.30)
【手続補正１】
【補正対象書類名】明細書
【補正対象項目名】０１７３
【補正方法】変更
【補正の内容】
【０１７３】
電子部品が搭載される第１基板を収容する第１部材と、その第１部材に対向配置される第２部材と、前記第１基板から発生する熱を前記第２部材側に排気する排気手段と、その排気手段からの排気を前記第１部材と前記第２部材との間を通過させる排気経路が形成されると共にその排気経路を除いて前記第部材と前記第２部材との間隙を塞ぐ遮蔽部とを備え、前記第１部材には、前記第２部材側へ向けて第１リブが突設されると共に、前記第２部材には、前記第１部材側へ向けて第２リブが突設され、前記第１リブと前記第２リブとにより前記排気経路が形成されていることを特徴とする遊技機Ｂ１。
【手続補正２】
【補正対象書類名】特許請求の範囲
【補正対象項目名】全文
【補正方法】変更
【補正の内容】
【特許請求の範囲】
【請求項１】
電子部品が搭載される第１基板を収容する第１部材と、
その第１部材に対向配置される第２部材と、
前記第１基板から発生する熱を前記第２部材側に排気する排気手段と、
その排気手段からの排気を前記第１部材と前記第２部材との間を通過させる排気経路が形成されると共にその排気経路を除いて前記第部材と前記第２部材との間隙を塞ぐ遮蔽部とを備え、
前記第１部材には、前記第２部材側へ向けて第１リブが突設されると共に、前記第２部材には、前記第１部材側へ向けて第２リブが突設され、前記第１リブと前記第２リブとにより前記排気経路が形成されていることを特徴とする遊技機。
【請求項２】
前記排気経路は、屈曲して前記遮蔽部の外部へ至るように形成されていることを特徴とする請求項１記載の遊技機。
【請求項３】
前記第１リブ及び前記第２リブには通孔がそれぞれ貫通形成され、
前記排気経路は、前記通孔を通じて前記遮蔽部の外部へ至るように形成されていることを特徴とする請求項１又は２に記載の遊技機。
【請求項４】
前記第１リブ又は前記第２リブの少なくとも一方には、前記排気経路の一部を塞ぐ突起が突設されていることを特徴とする請求項１から３のいずれかに記載の遊技機。
【手続補正書】
【提出日】平成24年11月30日(2012.11.30)
【手続補正１】
【補正対象書類名】明細書
【補正対象項目名】０００９
【補正方法】変更
【補正の内容】
【０００９】
また、排気経路は、屈曲して遮蔽部の外部へ至るように形成されているので、排気経路に不正な基板を隠し難くできるという効果がある。また、排気経路が屈曲していることで、排気経路および排気手段を通じて第１部材の内部に針金などの線材が差し込まれるのを防ぐことができる。これにより、第１基板に対する不正行為（例えば、線材により第１基板の配線パターンを切断する等）を抑制することができるという効果がある。
【手続補正２】
【補正対象書類名】明細書
【補正対象項目名】００１０
【補正方法】変更
【補正の内容】
【００１０】
請求項２記載の遊技機によれば、請求項１記載の遊技機の奏する効果に加え、遮蔽部は、第１部材または第２部材の少なくとも一方に突設されるリブにより形成されているので、遮蔽部を第１部材または第２部材と一体に形成することができる。これにより、遮蔽部を新たな部材として別途設ける必要がなく、部品点数の増加を抑制することができるという効果がある。また、第１部材または第２部材に突設されるリブにより遮蔽部を形成することで、リブが突設される第１部材または第２部材の剛性を高めることができるという効果がある。
【手続補正３】
【補正対象書類名】明細書
【補正対象項目名】００１１
【補正方法】変更
【補正の内容】
【００１１】
請求項３記載の遊技機によれば、請求項２記載の遊技機の奏する効果に加え、排気経路は、リブに貫通形成される通孔を通じて遮蔽部の外部へ至るように形成されているので、排気経路に不正な基板を隠そうとする場合には、単に排気経路に沿って不正な基板を這わせるだけでなく、通孔に不正な基板を挿し通す必要が生じる。これにより、排気経路に不正な基板を隠し難くできるという効果がある。
【手続補正４】
【補正対象書類名】特許請求の範囲
【補正対象項目名】全文
【補正方法】変更
【補正の内容】
【特許請求の範囲】
【請求項１】
電子部品が搭載される第１基板を収容する第１部材と、
その第１部材に対向配置される第２部材と、
前記第１基板から発生する熱を前記第２部材側に排気する排気手段と、
その排気手段からの排気を前記第１部材と前記第２部材との間を通過させる排気経路が形成されると共にその排気経路を除いて前記第１部材と前記第２部材との間隙を塞ぐ遮蔽部とを備え、
前記排気経路は、屈曲して前記遮蔽部の外部へ至るように形成されていることを特徴とする遊技機。
【請求項２】
前記第１部材または前記第２部材の少なくとも一方には、相対向する前記第１部材または前記第２部材側へ向けてリブが突設され、そのリブにより前記遮蔽部が形成されていることを特徴とする請求項１記載の遊技機。
【請求項３】
前記リブには通孔が貫通形成され、
前記排気経路は、前記通孔を通じて前記遮蔽部の外部へ至るように形成されていることを特徴とする請求項２記載の遊技機。
【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選に用いられるとともに、前記役の抽選結果として、特定入賞を成立させることができる特定操作が異なる特定結果が複数生じる抽選情報を記憶する抽選情報記憶手段と、
特定期間を設定する特定期間設定手段と、
前記特定期間であることに基づいて、前記停止操作手段の操作方法に関わる操作情報を記憶する操作情報記憶手段と、
前記役の抽選結果が前記特定結果のいずれかであって、対応する特定操作と対応する操作情報が前記操作情報記憶手段に記憶されている場合、前記特定操作を示唆する示唆手段と
を備え、
前記示唆手段は、前記特定期間に前記特定操作を示唆することを特徴とする遊技機。
【請求項２】
前記特定期間であることに基づいて、前記停止操作手段になされた操作方法を把握する操作方法把握手段を備え、前記操作情報記憶手段を、前記操作方法把握手段が前記操作方法を複数回把握するとともにこれら把握結果が異なる操作方法であった場合、各把握結果を記憶可能な構成としたことを特徴とする請求項１に記載の遊技機。
【請求項３】
前記操作方法把握手段は、前記役の抽選結果が前記特定結果のいずれかであって、前記示唆手段が前記特定操作を示唆していない状況で前記特定入賞が成立した場合、前記停止操作手段になされた操作方法を把握することを特徴とする請求項２に記載の遊技機。
【請求項４】
前記示唆手段は、前記役の抽選結果が前記特定結果のいずれかであって、対応する特定操作が前記把握結果記憶手段に記憶されていない場合、前記特定操作を示唆しないことを特徴とする請求項１乃至請求項３のいずれかに記載の遊技機。
【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選に用いられるとともに、前記役の抽選結果として、特定入賞を成立させることができる特定操作が異なる特定結果が複数生じる抽選情報を記憶する抽選情報記憶手段と、
前記停止操作手段になされた操作方法を把握する操作方法把握手段と、
前記操作方法把握手段の把握結果と対応する把握結果情報を記憶する把握結果情報記憶手段と、
特定期間を設定する特定期間設定手段と、
前記特定期間に前記役の抽選結果が前記特定結果のいずれかとなり、前記役の抽選結果と対応する把握結果情報が前記把握結果情報記憶手段に記憶されている場合、前記特定入賞と対応する特典に代えて又は加えて、特定特典を付与する特定特典付与手段と
を備えたことを特徴とする遊技機。
【請求項２】
第２特定期間を設定する第２特定期間設定手段を備え、前記特定期間設定手段を、前記第２特定期間の終了後に前記特定期間を設定する構成とするとともに、前記操作方法把握手段を、前記第２特定期間であることに基づいて前記停止操作手段になされた操作方法を把握する構成としたことを特徴とする請求項１に記載の遊技機。
【請求項３】
前記特定期間に前記役の抽選結果が前記特定結果のいずれかとなった場合、前記特定操作又は前記特定入賞の成立を回避できる回避操作を示唆する示唆演出を実行可能な示唆演出実行手段と、前記示唆演出の実行回数に関わる回数情報を記憶する回数情報記憶手段と、前記特定期間を終了させるか否かを決定する終了決定手段と、を備え、前記示唆演出実行手段は、前記回数情報記憶手段に記憶された回数情報に基づいて前記示唆演出を実行し、前記終了決定手段は、前記特定入賞が成立した場合に前記特定期間を終了させると決定することを特徴とする請求項１又は請求項２に記載の遊技機。
【請求項４】
前記特定特典付与手段は、前記特定特典として、前記回数情報記憶手段に記憶された回数情報が実質的に多くなる特典を付与することを特徴とする請求項３に記載の遊技機。
【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選に用いられるとともに、前記役の抽選結果として、特定入賞を成立させることができる特定操作が異なる特定結果が複数生じる抽選情報を記憶する抽選情報記憶手段と、
前記停止操作手段になされた操作方法を把握する操作方法把握手段と、
前記操作方法把握手段の把握結果と対応する把握結果情報を記憶する把握結果情報記憶手段と、
第１特定期間を設定する第１特定期間設定手段と、
第２特定期間を設定する第２特定期間設定手段と、
回数情報を設定する回数情報設定手段と、
前記回数情報を記憶する回数情報記憶手段と、
前記各特定期間に前記役の抽選結果が前記特定結果のいずれかとなった場合、前記回数情報記憶手段に記憶された回数情報に基づいて、前記特定操作又は前記特定入賞の成立を回避できる回避操作を示唆する示唆演出を実行する示唆演出実行手段と、
前記各特定期間に前記役の抽選結果が前記特定結果のいずれかとなり、前記役の抽選結果と対応する把握結果情報が前記把握結果情報記憶手段に記憶されている場合、前記回数情報記憶手段に記憶された回数情報が実質的に多くなる特定特典を付与する特定特典付与手段と
を備え、
前記回数情報設定手段は、前記第１特定期間となる場合に第１回数を示す第１回数情報を設定するとともに、前記第２特定期間となる場合に前記第１回数より少ない第２回数を示す第２回数情報を設定し、
前記特定特典付与手段は、前記第１特定期間である場合に第１特定特典を付与するとともに、前記第２特定期間である場合に前記第１特定特典よりも前記回数情報記憶手段に記憶された回数情報が実質的に多くなる度合いが大きい第２特定特典を付与し、
さらに、
遊技者の操作に基づいて前記第１特定期間と前記第２特定期間のいずれを設定するかを決定する決定手段を設けたことを特徴とする遊技機。
【請求項２】
前記特定特典付与手段は、前記役の抽選結果と対応する把握結果情報が前記把握結果情報記憶手段に記憶されている場合、前記回数情報記憶手段に記憶された回数情報に関わらず、前記示唆演出実行手段に前記示唆演出を実行させる特典を付与することを特徴とする請求項１に記載の遊技機。
【請求項３】
前記役の抽選結果が前記把握結果情報記憶手段に記憶されている把握結果情報と対応する特定結果となることを含む特定条件が成立したか否かを判定する特定条件判定手段と、前記特定条件が成立した場合、規定特典を付与する規定特典付与手段とを備えたことを特徴とする請求項１又は請求項２に記載の遊技機。
【請求項４】
前記特定条件判定手段は、前記各特定期間において最初に発生した特定結果が、前記把握結果情報記憶手段に記憶されている把握結果情報と対応する特定結果であった場合、前記特定条件が成立したと判定することを特徴とする請求項３に記載の遊技機。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシンであって、
ゲームを進行させる制御を行なう遊技制御手段と、
演出の制御を行なう演出制御手段とを備え、
前記遊技制御手段は、
前記可変表示装置に表示結果が導出される前に、複数種類の入賞について発生を許容するか否かを決定する事前決定手段と、
前記可変表示装置に表示結果を導出させるための操作を受付ける導出操作受付手段と、
前記事前決定手段の決定結果および前記導出操作受付手段が受付けた操作に応じて前記可変表示装置に表示結果を導出させる制御を行なう手段であって、前記事前決定手段の決定結果が複数種類の特定結果のうちいずれかとなった場合に、当該特定結果の種類に応じて定められた手順であって他の特定結果の種類に応じて定められた手順と異なる有利手順で前記導出操作受付手段により操作が受付けられたときには有利表示結果を導出させ、当該特定結果の種類に応じて定められた有利手順とは異なる手順で前記導出操作受付手段により操作が受付けられたときには前記有利表示結果と異なる特定表示結果を導出させる制御を行なう導出制御手段と、
遊技者にとって有利な第１遊技状態に制御するとともに、当該第１遊技状態において前記特定表示結果が導出されたときに遊技者にとって不利な第２遊技状態に制御する遊技状態制御手段と、
前記事前決定手段の決定結果を特定するための決定結果特定用情報を前記演出制御手段に送信するための情報送信手段とを含み、
前記演出制御手段は、
前記情報送信手段からの前記決定結果特定用情報に基づき前記事前決定手段の決定結果が前記複数種類の特定結果のうちいずれかとなったときであって所定の有利演出状態であるときには、当該有利演出状態以外の非有利演出状態であるときよりも高い割合で当該特定結果の種類に応じて定められた情報であって他の特定結果の種類に応じて定められた情報と異なる情報を報知する報知制御手段と、
前記有利演出状態とするか否かを決定する演出状態決定手段とを含み、
前記遊技制御手段は、前記第１遊技状態に制御されたが前記非有利演出状態である場合において当該第１遊技状態が維持されることを期待できる期間を超えるように予め定められた閾値以上にわたり前記第１遊技状態への制御が維持されたときに、特定情報をスロットマシンの外部に出力するための外部出力手段をさらに含むことを特徴とする、スロットマシン。
【手続補正書】
【提出日】平成24年11月26日(2012.11.26)
【手続補正１】
【補正対象書類名】特許請求の範囲
【補正対象項目名】請求項４
【補正方法】変更
【補正の内容】
【請求項４】
前記検出手段によって抽出された複数の被検眼の特徴量の差分を用いて、当該複数の被検眼の特徴量を合成した情報を算出する算出手段を更に備え、
前記変換手段は、前記複数の被検眼の特徴量を合成した情報に対する前記解析手段の解析結果を、前記表示手段にまとめて表示するために、前記基準座標系を、前記表示手段の表示座標系に変換し、
前記表示制御手段は、前記変換手段により変換された、前記表示座標系を用いて、前記複数の被検眼の特徴量を合成した情報に対する前記解析手段の解析結果を、前記表示手段に表示することを特徴とする請求項１または２に記載の画像処理装置。
【手続補正２】
【補正対象書類名】明細書
【補正対象項目名】００１７
【補正方法】変更
【補正の内容】
【００１７】
網膜像解析部１３０は断層像の解析を行い、網膜層の厚みを解析する。表示基準設定部１５０は、基準座標系に基づいて網膜像（断層像や広域断層像）や網膜層の厚みの解析結果の表示基準（モニタ５０に解析結果を表示するための表示座標系）を設定する。不図示の指示取得部は、操作者がキーボードやマウス等の操作により入力する処理の指示を取得する。表示制御部１７０は、表示基準設定部１５０により設定された表示基準（表示座標系）に基づいて網膜像や網膜層の厚みの解析結果をモニタ５０へ送信する。モニタ５０は、表示制御部１７０の制御の下に、表示基準設定部１５０により設定された表示基準（表示座標系）に基づいて網膜像や網膜層の厚みの解析結果を表示する。
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
カメラとプリンタとを備えた写真撮影遊戯機であって、
前記カメラにより被写体を撮影して複数の写真画像を生成する撮影制御手段と、
前記各写真画像に対応した編集画像の入力を受け付ける第１編集手段と、
前記写真画像と前記編集画像とを合成して複数の合成画像を生成する合成画像生成手段と、
複数のレイアウトサンプルを記憶する記憶手段と、
印刷用紙上に並んで配列された複数の印刷領域の各々において、前記印刷領域の配列方向に直交して配列するように区分された第１矩形領域と第２矩形領域の各レイアウトを、前記複数のレイアウトサンプルの中から選択するレイアウト選択手段と、
前記第１矩形領域用に選択されたレイアウトサンプルに基づいて、前記複数の合成画像をレイアウトして第１印刷画像を生成し、前記第２矩形領域用に選択されたレイアウトサンプルに基づいて、前記複数の合成画像をレイアウトして第２印刷画像を生成する印刷画像生成手段と、
前記第１印刷画像を前記第１矩形領域に印刷し、前記第２印刷画像を前記第２矩形領域に印刷し、前記印刷用紙を前記印刷領域ごとに切断するように前記プリンタを制御する印刷制御手段とを備える、写真撮影遊戯機。
【請求項２】
請求項１に記載の写真撮影遊戯機であって、
前記印刷画像生成手段は、前記第１印刷画像と同じ複数の合成画像を用いて前記第２印刷画像を生成する、写真撮影遊戯機。
【請求項３】
請求項１又は請求項２に記載の写真撮影遊戯機であって、
前記記憶手段に記憶される複数のレイアウトサンプルは、
前記第１又は第２矩形領域を、前記合成画像と相似する形状を有し前記合成画像が配置される複数の配置領域に区分した複数の分割レイアウトサンプルと、
前記第１又は第２矩形領域を、前記複数の配置領域と、前記複数の配置領域以外の領域であって、編集画像が配置される装飾領域とに区分した複数のコラージュレイアウトサンプルとを含む、写真撮影遊戯機。
【請求項４】
請求項３に記載の写真撮影遊戯機であって、
前記レイアウト選択手段は、
前記分割レイアウトサンプルとコラージュレイアウトサンプルとを組み合わせた複数のレイアウトテンプレートの中から、前記印刷領域内の第１及び第２矩形領域に利用するレイアウトテンプレートの選択を受け付ける、写真撮影遊戯機。
【請求項５】
請求項３に記載の写真撮影遊戯機であって、
前記分割レイアウトサンプル内の複数の配置領域は、大型領域と、前記大型領域と相似し前記大型領域よりも小さいサイズの小型領域とを含み、
前記写真撮影遊戯機はさらに、
選択された分割レイアウトサンプル内の大型領域及び小型領域に配置される複数の合成画像の配置を切り替える配置切替手段を備える、写真撮影遊戯機。
【請求項６】
請求項１に記載の写真撮影遊戯機であって、
前記合成画像生成手段は、生成された前記第１及び第２印刷画像を前記プリンタに送信し、
前記印刷制御手段は、前記各印刷領域に対して、同じ第１及び第２印刷画像を印刷するように前記プリンタを制御する、写真撮影遊戯機。
【請求項７】
カメラとプリンタとを備える写真撮影遊戯機を用いた写真撮影遊戯方法であって、
前記カメラにより被写体を撮影して複数の写真画像を生成するステップと、
前記各写真画像に対応した編集画像の入力を受け付けるステップと、
前記写真画像と前記編集画像とを合成して複数の合成画像を生成するステップと、
印刷用紙上に並んで配列された複数の印刷領域の各々において、前記印刷領域の配列方向に直交して配列するように区分された第１矩形領域と第２矩形領域の各レイアウトを、前記複数のレイアウトサンプルの中から選択するステップと、
前記第１矩形領域用に選択されたレイアウトサンプルに基づいて、前記複数の合成画像をレイアウトして第１印刷画像を生成し、前記第２矩形領域用に選択されたレイアウトサンプルに基づいて、前記複数の合成画像をレイアウトして第２印刷画像を生成するステップと、
前記第１印刷画像を前記第１矩形領域に印刷し、前記第２印刷画像を前記第２矩形領域に印刷し、前記印刷用紙を前記印刷領域ごとに切断するように前記プリンタを制御するステップとを備える、写真撮影遊戯方法。
【請求項８】
写真撮影遊戯機のカメラ及びプリンタを制御するコンピュータに実装される制御プログラムであって、
前記カメラにより被写体を撮影して複数の写真画像を生成するステップと、
前記各写真画像に対応した編集画像の入力を受け付けるステップと、
前記写真画像と前記編集画像とを合成して複数の合成画像を生成するステップと、
印刷用紙上に並んで配列された複数の印刷領域の各々において、前記印刷領域の配列方向に直交して配列するように区分された第１矩形領域と第２矩形領域の各レイアウトを、前記複数のレイアウトサンプルの中から選択するステップと、
前記第１矩形領域用に選択されたレイアウトサンプルに基づいて、前記複数の合成画像をレイアウトして第１印刷画像を生成し、前記第２矩形領域用に選択されたレイアウトサンプルに基づいて、前記複数の合成画像をレイアウトして第２印刷画像を生成するステップと、
前記第１印刷画像を前記第１矩形領域に印刷し、前記第２印刷画像を前記第２矩形領域に印刷し、前記印刷用紙を前記印刷領域ごとに切断するように前記プリンタを制御するステップとを前記コンピュータに実行させる、制御プログラム。
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段よりも被写体側に配置される光学部材と、
前記撮像手段を撮影者側で保持すると共に、前記光学部材を被写体側で保持する保持部材と、
前記保持部材の撮影者側に設けられ、前記撮像手段を前記保持部材に固定した際に、前記撮像手段と前記保持部材の間を封止して密閉空間を形成する第一の封止部材と、
前記保持部材の被写体側に設けられ、前記光学部材を前記保持部材に固定した際に、これら光学部材と保持部材の間を封止して密閉空間を形成する第二の封止部材とを備え、
前記第一の封止部材と前記第二の封止部材は分離して形成され、
前記第二の封止部材の底面は、前記第一の封止部材の底面よりも前記撮像手段側へ突出していることを特徴とする撮像ユニット。
【請求項２】
前記第一の封止部材と前記第二の封止部材は光軸に垂直な方向にオフセットして配置され、
前記第一の封止部材は前記第二の封止部材より光軸に近い位置に配置されることを特徴とする請求項１に記載の撮像ユニット。
【請求項３】
前記光学部材に振動を与える加振手段を備え、
前記加振手段が前記光学部材に振動を与えたときに、前記光学部材に出現する振動の節部が前記第二の封止部材に接触することを特徴とする請求項１又は２に記載の撮像ユニット。
【請求項４】
前記第一の封止部材は弾性部材で構成されており、前記保持部材に一体成型されていることを特徴とする請求項１乃至３のいずれか１項に記載の撮像ユニット。
【請求項５】
前記第二の封止部材は弾性部材で構成されており、前記保持部材に一体成型されていることを特徴とする請求項１乃至４のいずれか１項に記載の撮像ユニット。
【請求項６】
前記光学部材は光学ローパスフィルタであることを特徴とする請求項１乃至５のいずれか１項に記載の撮像ユニット。
【請求項７】
請求項１乃至６のいずれか１項に記載の撮像ユニットを備えることを特徴とする撮像装置。
【手続補正２】
【補正対象書類名】明細書
【補正対象項目名】００１０
【補正方法】変更
【補正の内容】
【００１０】
本発明の撮像ユニットは、撮像手段と、前記撮像手段よりも被写体側に配置される光学部材と、前記撮像手段を撮影者側で保持すると共に、前記光学部材を被写体側で保持する保持部材と、前記保持部材の撮影者側に設けられ、前記撮像手段を前記保持部材に固定した際に、前記撮像手段と前記保持部材の間を封止して密閉空間を形成する第一の封止部材と、前記保持部材の被写体側に設けられ、前記光学部材を前記保持部材に固定した際に、これら光学部材と保持部材の間を封止して密閉空間を形成する第二の封止部材とを備え、前記第一の封止部材と前記第二の封止部材は分離して形成され、前記第二の封止部材の底面は、前記第一の封止部材の底面よりも前記撮像手段側へ突出していることを特徴とする。
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、第１の配線と、第２の配線と、を有し、
前記第１のトランジスタのゲートは、前記第２のトランジスタのゲートと電気的に接続され、
前記第１のトランジスタのソース又はドレインの一方は、前記第１の配線と電気的に接続され、
前記第１のトランジスタのソース又はドレインの他方は、前記第２のトランジスタのソース又はドレインの一方と電気的に接続され、
前記第２のトランジスタのソース又はドレインの他方は、前記第３のトランジスタのソース又はドレインの一方と電気的に接続され、
前記第３のトランジスタのソース又はドレインの他方は、前記第２の配線と電気的に接続され、
前記第１のトランジスタ及び前記第２のトランジスタは、結晶性を有するシリコンを有し、
前記第３のトランジスタは、酸化物半導体を有し、
前記第３のトランジスタの室温でのオフ電流密度は、ドレイン電圧が１Ｖ〜１０Ｖのとき、１０−１８Ａ／μｍ以下であることを特徴とする半導体装置。
【請求項２】
第１のトランジスタと、第２のトランジスタと、第３のトランジスタと、第１の配線と、第２の配線と、を有し、
前記第１のトランジスタと、前記第２のトランジスタと、前記第３のトランジスタは、前記第１の配線と前記第２の配線の間に、直列に電気的に接続され、
前記第１のトランジスタのゲートは、前記第２のトランジスタのゲートと電気的に接続され、
前記第１のトランジスタ及び前記第２のトランジスタは、結晶性を有するシリコンを有し、
前記第３のトランジスタは、酸化物半導体を有し、
前記第３のトランジスタの室温でのオフ電流密度は、ドレイン電圧が１Ｖ〜１０Ｖのとき、１０−１８Ａ／μｍ以下であることを特徴とする半導体装置。
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
処理室内に基板を搬入して前記処理室内に設けられた基板載置部上に前記基板を載置する基板搬入工程と、
ボロン含有ガス又は、ボロン含有ガス及び水素含有ガスを有する処理ガスを前記処理室内に供給するガス供給工程と、
前記処理室内に供給された前記処理ガスを励起させる励起工程と、
を有する半導体装置の製造方法。
【請求項２】
前記ガス供給工程では、前記処理ガスにヘリウム含有ガスを加える請求項１に記載の半導体装置の製造方法。
【請求項３】
基板を収容する処理室と、
前記処理室内で前記基板を支持する基板載置部と、
ボロン含有ガス又は、ボロン含有ガス及び水素含有ガスを有する処理ガスを前記処理室内に供給する流量制御器と、
前記処理室内に収容された前記基板を加熱する加熱手段と、
前記処理室内の圧力を調整する圧力調整器と、
前記処理室内に供給された前記処理ガスを励起するプラズマ生成部と、
前記処理ガスを供給しつつ、当該ガスの励起と当該ガスの排気をするように、前記流量制御器と前記圧力調整器と前記プラズマ生成部を制御する制御部と、
を有する基板処理装置。
【手続補正２】
【補正対象書類名】明細書
【補正対象項目名】発明の名称
【補正方法】変更
【補正の内容】
【発明の名称】半導体装置の製造方法および基板処理装置
【手続補正書】
【提出日】平成24年12月13日(2012.12.13)
【手続補正１】
【補正対象書類名】明細書
【補正対象項目名】発明の名称
【補正方法】変更
【補正の内容】
【発明の名称】表示処理装置、表示処理方法及び表示処理プログラム
【手続補正２】
【補正対象書類名】明細書
【補正対象項目名】０００１
【補正方法】変更
【補正の内容】
【０００１】
本発明は、複数の画像を切り換えて表示部に表示する表示処理装置、表示処理方法及び表示処理プログラムに関する。
【手続補正３】
【補正対象書類名】明細書
【補正対象項目名】０００５
【補正方法】変更
【補正の内容】
【０００５】
本発明はかかる問題点に鑑みてなされたものであって、ユーザに新しい印象を与えることが可能な表示処理装置、表示処理方法及び表示処理プログラムを提供することを目的とする。
【手続補正４】
【補正対象書類名】明細書
【補正対象項目名】０００６
【補正方法】変更
【補正の内容】
【０００６】
上記目的を達成するため、本発明の第１の観点に係る表示処理装置は、
画像を表示する表示処理装置であって、
ユーザによる第１の操作を受け付ける第１操作部と、
前記第１操作部が前記ユーザによる前記第１の操作を受け付けている間に、前記ユーザによる第２の操作を受け付ける第２操作部と、
前記第１操作部が受け付けている前記ユーザによる前記第１の操作により、前記画像に対して第１の命令を実行する第１命令実行手段と、
前記第１命令実行手段が前記第１の命令を実行している間に、前記第２操作部が受け付けている前記ユーザによる前記第２の操作により、前記画像に対して第２の命令を実行する第２命令実行手段と、
を備えることを特徴とする。
【手続補正５】
【補正対象書類名】明細書
【補正対象項目名】０００７
【補正方法】変更
【補正の内容】
【０００７】
上記目的を達成するため、本発明の第２の観点に係る表示処理方法は、
画像を表示する表示処理装置において、
ユーザによる第１の操作を受け付ける第１操作ステップと、
前記第１操作ステップが前記ユーザによる前記第１の操作を受け付けている間に、前記ユーザによる第２の操作を受け付ける第２操作ステップと、
前記第１操作ステップが受け付けている前記ユーザによる前記第１の操作により、前記画像に対して第１の命令を実行する第１命令実行ステップと、
前記第１命令実行ステップが前記第１の命令を実行している間に、前記第２操作ステップが受け付けている前記ユーザによる前記第２の操作により、前記画像に対して第２の命令を実行する第２命令実行ステップと、
を備えることを特徴とする。
【手続補正６】
【補正対象書類名】明細書
【補正対象項目名】０００８
【補正方法】変更
【補正の内容】
【０００８】
上記目的を達成するため、本発明の第３の観点に係る表示処理プログラムは、
ユーザによる第１の操作を受け付ける第１操作部と、前記第１操作部が前記ユーザによる前記第１の操作を受け付けている間に、前記ユーザによる第２の操作を受け付ける第２操作部と、を備え、画像を表示するコンピュータを、
前記第１操作部が受け付けている前記ユーザによる前記第１の操作により、前記画像に対して第１の命令を実行する第１命令実行手段、
前記第１命令実行手段が前記第１の命令を実行している間に、前記第２操作部が受け付けている前記ユーザによる前記第２の操作により、前記画像に対して第２の命令を実行する第２命令実行手段、
として機能させることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、ユーザに新しい印象を与えることが可能な表示処理装置、表示処理方法及び表示処理プログラムを提供できる。
【手続補正９】
【補正対象書類名】特許請求の範囲
【補正対象項目名】全文
【補正方法】変更
【補正の内容】
【特許請求の範囲】
【請求項１】
画像を表示する表示処理装置であって、
ユーザによる第１の操作を受け付ける第１操作部と、
前記第１操作部が前記ユーザによる前記第１の操作を受け付けている間に、前記ユーザによる第２の操作を受け付ける第２操作部と、
前記第１操作部が受け付けている前記ユーザによる前記第１の操作により、前記画像に対して第１の命令を実行する第１命令実行手段と、
前記第１命令実行手段が前記第１の命令を実行している間に、前記第２操作部が受け付けている前記ユーザによる前記第２の操作により、前記画像に対して第２の命令を実行する第２命令実行手段と、
を備えることを特徴とする表示処理装置。
【請求項２】
複数の画像を記憶する記憶手段と、
前記画像の特定領域を拡大した拡大画像を生成して表示する拡大画像生成手段と、を更に備え、
前記第１命令実行手段は、前記第１操作部が受け付けている前記ユーザによる前記第１の操作により、前記記憶手段に記憶された前記複数の画像から１つの画像を順次特定し、
前記第２命令実行手段は、前記第１命令実行手段が特定している前記画像において、前記第２操作部が受け付けている前記ユーザによる前記第２の操作に対応する位置を順次特定し、
前記第１命令実行手段が前記画像を順次特定している間に、前記第１命令実行手段が特定している画像において、前記第２命令実行手段が特定した位置に対応する領域を前記拡大画像生成手段により拡大表示する、
ことを特徴とする請求項１に記載の表示処理装置。
【請求項３】
前記第２命令実行手段は、前記第２操作部が受け付けている前記ユーザによる前記第２の操作に基づいて、前記第２の操作の操作速度を算出し、前記第２操作部が前記ユーザによる前記第２の操作を受け付けた後に、算出された前記第２の操作の操作速度に対応する移動速度で前記位置を移動させる、
ことを特徴とする請求項２に記載の表示処理装置。
【請求項４】
画像を表示する表示処理装置において、
ユーザによる第１の操作を受け付ける第１操作ステップと、
前記第１操作ステップが前記ユーザによる前記第１の操作を受け付けている間に、前記ユーザによる第２の操作を受け付ける第２操作ステップと、
前記第１操作ステップが受け付けている前記ユーザによる前記第１の操作により、前記画像に対して第１の命令を実行する第１命令実行ステップと、
前記第１命令実行ステップが前記第１の命令を実行している間に、前記第２操作ステップが受け付けている前記ユーザによる前記第２の操作により、前記画像に対して第２の命令を実行する第２命令実行ステップと、
を備えることを特徴とする表示処理方法。
【請求項５】
ユーザによる第１の操作を受け付ける第１操作部と、前記第１操作部が前記ユーザによる前記第１の操作を受け付けている間に、前記ユーザによる第２の操作を受け付ける第２操作部と、を備え、画像を表示するコンピュータを、
前記第１操作部が受け付けている前記ユーザによる前記第１の操作により、前記画像に対して第１の命令を実行する第１命令実行手段、
前記第１命令実行手段が前記第１の命令を実行している間に、前記第２操作部が受け付けている前記ユーザによる前記第２の操作により、前記画像に対して第２の命令を実行する第２命令実行手段、
として機能させることを特徴とする表示処理プログラム。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
（１）長さが３０μｍ〜３００μｍの不溶性食物繊維と、（２）こんにゃく精粉を含有し、（２）に対する（１）の重量比が０．３〜３であり、水、塩基を加え、熱水中でゲル化したものを、不溶性食物繊維、こんにゃく精粉及びこんにゃく精粉以外の増粘性多糖類を含有するペーストで包み、これに塩基を加え、熱水中でゲル化させることを特徴とする、ヘテロ感を有する低タンパク肉様食品の製造法。
【請求項２】
第２の熱水中でゲル化後、冷凍解凍し離水させることを特徴とする、請求項１記載の製造方法。
【請求項３】
不溶性食物繊維が、小麦、大麦、サトウキビまたはとうもろこし由来の植物繊維であることを特徴とする、請求項１又は２記載の製造法。
【請求項４】
こんにゃく精粉以外の増粘性多糖類が、カードラン、加工でんぷんおよびカラギーナンから選ばれた少なくとも１種である請求項１乃至３記載の製造法。
【手続補正２】
【補正対象書類名】明細書
【補正対象項目名】００１１
【補正方法】変更
【補正の内容】
【００１１】
すなわち、本発明の第一は（１）長さが３０μｍ〜３００μｍの不溶性食物繊維と、（２）こんにゃく精粉を含有し、（２）に対する（１）の重量比が０．３〜３であり、水、塩基を加え、熱水中でゲル化したものを、不溶性食物繊維、こんにゃく精粉及びこんにゃく精粉以外の増粘性多糖類を含有するペーストで包み、これに塩基を加え、熱水中でゲル化させることを特徴とする、ヘテロ感を有する低タンパク肉様食品の製造法であり、本発明の第二は、（１）長さが３０μｍ〜３００μｍの不溶性食物繊維と、（２）こんにゃく精粉を含有し、（２）に対する（１）の重量比が０．３〜３であり、水、塩基を加え、熱水中でゲル化したものを、不溶性食物繊維、こんにゃく精粉及びこんにゃく精粉以外の増粘性多糖類を含有するペーストで包み、これに塩基を加え、熱水中でゲル化後、冷凍解凍し離水させることを特徴とする、ヘテロ感を有する低タンパク肉様食品の製造法であり、本発明の第三は、不溶性食物繊維が、小麦、大麦、サトウキビまたはとうもろこし由来の植物繊維であることを特徴とする、ヘテロ感を有する低タンパク肉様食品の製造法であり、本発明の第四は、こんにゃく精粉以外の増粘性多糖類がカードラン、加工でんぷんおよびカラギーナンから選ばれた少なくとも１種であるヘテロ感を有する低タンパク肉様食品の製造法である。
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
チャネル品質測定用参照信号を生成する生成部と、送信アンテナ分のチャネル品質測定用参照信号を、時間で隣接する２シンボルにペアでマッピングするマッピング部と、前記チャネル品質測定用参照信号をマッピングするリソースに関する情報を上位レイヤで移動端末装置に送信する送信部と、を具備することを特徴とする無線基地局装置。
【請求項２】
時間で隣接する２シンボルにペアでマッピングされた送信アンテナ分のチャネル品質測定用参照信号を含む下りリンク信号及び前記チャネル品質測定用参照信号をマッピングするリソースに関する情報を受信する受信部と、前記時間で隣接する２シンボルにペアでマッピングされたチャネル品質測定用参照信号を用いて干渉電力推定を行う干渉電力推定部と、を具備することを特徴とする移動端末装置。
【請求項３】
無線基地局装置において、チャネル品質測定用参照信号を生成する工程と、送信アンテナ分のチャネル品質測定用参照信号を、時間で隣接する２シンボルにペアでマッピングする工程と、前記チャネル品質測定用参照信号をマッピングするリソースに関する情報を上位レイヤで移動端末装置に送信する工程と、移動端末装置において、前記時間で隣接する２シンボルにペアでマッピングされた送信アンテナ分のチャネル品質測定用参照信号を含む下りリンク信号及び前記チャネル品質測定用参照信号をマッピングするリソースに関する情報を受信する工程と、前記時間で隣接する２シンボルにペアでマッピングされたチャネル品質測定用参照信号を用いて干渉電力推定を行う工程と、を具備することを特徴とする無線通信方法。
【手続補正２】
【補正対象書類名】明細書
【補正対象項目名】０００８
【補正方法】変更
【補正の内容】
【０００８】
本発明の無線基地局装置は、チャネル品質測定用参照信号を生成する生成部と、送信アンテナ分のチャネル品質測定用参照信号を、時間で隣接する２シンボルにペアでマッピングするマッピング部と、前記チャネル品質測定用参照信号をマッピングするリソースに関する情報を上位レイヤで移動端末装置に送信する送信部と、を具備することを特徴とする。
【手続補正書】
【提出日】平成24年12月4日(2012.12.4)
【手続補正１】
【補正対象書類名】明細書
【補正対象項目名】００６５
【補正方法】変更
【補正の内容】
【００６５】
また、書き込み制御部３２は、TTO同期検出部３０から供給されるTTO同期の検出結果に基づいて、Common PLPとData PLPで同期しているTTOが含まれているTSパケットをバッファ３１に書き込んだときの書き込みアドレス（以下、TTOアドレスという）と、それらのPLPのTTOの差分（以下、H_TTOdiffという）を取得し、読み出し制御部３４に供給する。以下、TTOアドレスと、H_TTOdiffを総称してTTO情報と称する。このTTO情報は、バッファ３１に蓄積されたTSパケットを読み出すに際して、Common PLPとData PLPの同期のずれが生じた場合、そのずれを補正するために必要となる補正情報となる。
【手続補正２】
【補正対象書類名】明細書
【補正対象項目名】０１０５
【補正方法】変更
【補正の内容】
【０１０５】
したがって、この例の場合には、Pts＝（ISCR_b−ISCR_a）／（N_packets＋ΣDNP）＝（3000［T］−500［T］）／5［packet］＝500［T/packet］となる。
【手続補正３】
【補正対象書類名】図面
【補正対象項目名】図９
【補正方法】変更
【補正の内容】
【図９】
2011142420.tif 000001
【手続補正書】
【提出日】平成24年12月25日(2012.12.25)
【手続補正１】
【補正対象書類名】特許請求の範囲
【補正対象項目名】請求項１
【補正方法】変更
【補正の内容】
【請求項１】
リモートコントローラーの機能と記録メディアを制御する機能とを有する可搬型録画再生装置であって、
映像コンテンツの再生に係る操作が行われる操作部と、
前記操作部に対する、前記再生に係る前記操作によって、前記映像コンテンツを再生する映像コンテンツ再生部と、
前記映像コンテンツ再生部によって再生された前記映像コンテンツを、制御信号として、無線で外部の表示装置に送信する送信処理部とを具備する可搬型録画再生装置。
【手続補正２】
【補正対象書類名】特許請求の範囲
【補正対象項目名】請求項２
【補正方法】変更
【補正の内容】
【請求項２】
前記送信処理部は、前記再生部によって再生された前記映像コンテンツを、制御信号として、圧縮して前記表示装置に送信する請求項１に記載の可搬型録画再生装置。
【手続補正書】
【提出日】平成24年12月25日(2012.12.25)
【手続補正１】
【補正対象書類名】明細書
【補正対象項目名】００１９
【補正方法】変更
【補正の内容】
【００１９】
【図１】この発明の基本的構成を示すブロック図である。
【図２】この発明の一実施例の構成を示すブロック図である。
【図３】図２実施例において参照される一般辞書の構成の一例を示す図解図である。
【図４】ペット登録モードにおいて参照されるレジスタの構成の一例を示す図解図である。
【図５】（Ａ）はペット登録モードにおいてマルチ測光に対応して捉えられた動物を表す画像の一例を示す図解図であり、（Ｂ）はペット登録モードにおいて中央重点測光に対応して捉えられた動物を表す画像の一例を示す図解図である。
【図６】ペット登録モードにおいて捉えられた動物を表す画像の一例を示す図解図である。
【図７】評価エリアを撮像面に割り当てた状態の一例を示す図解図である。
【図８】（Ａ）はペット登録モードにおいて作成された抽出辞書の一例を示す図解図であり、（Ｂ）はペット登録モードにおいて作成された抽出辞書の他の一例を示す図解図である。
【図９】ペット撮像モードにおいてモニタ画面に表示された登録ペット画像の一例を示す図解図である。
【図１０】図２実施例に適用されるγ補正回路によって参照されるγ補正曲線の一例を示すグラフである。
【図１１】（Ａ）は標準の曲率を有するγ補正曲線を参照して調整された色調を有する動物画像の一例を示す図解図であり、（Ｂ）は強めの曲率を有するγ補正曲線を参照して調整された色調を有する動物画像の一例を示す図解図である。
【図１２】撮像用顔検出タスクにおいて用いられる顔検出枠の一例を示す図解図である。
【図１３】撮像用顔検出タスクにおける顔検出処理の一部を示す図解図である。
【図１４】ペット撮像モードにおいて捉えられた動物を表す画像の一例を示す図解図である。
【図１５】ペット撮像モードにおいて捉えられた動物を表す画像の他の一例を示す図解図である。
【図１６】図２実施例に適用されるＣＰＵの動作の一部を示すフロー図である。
【図１７】図２実施例に適用されるＣＰＵの動作の他の一部を示すフロー図である。
【図１８】図２実施例に適用されるＣＰＵの動作のその他の一部を示すフロー図である。
【図１９】図２実施例に適用されるＣＰＵの動作のさらにその他の一部を示すフロー図である。
【図２０】図２実施例に適用されるＣＰＵの動作の他の一部を示すフロー図である。
【図２１】図２実施例に適用されるＣＰＵの動作のその他の一部を示すフロー図である。
【図２２】図２実施例に適用されるＣＰＵの動作のさらにその他の一部を示すフロー図である。
【図２３】図２実施例に適用されるＣＰＵの動作の他の一部を示すフロー図である。
【図２４】他の実施例に適用されるＣＰＵの動作の一部を示すフロー図である。
【手続補正書】
【提出日】平成24年12月4日(2012.12.4)
【手続補正１】
【補正対象書類名】明細書
【補正対象項目名】０１０９
【補正方法】変更
【補正の内容】
【０１０９】
したがって、この例の場合には、Pts＝（ISCR_b−ISCR_a）／（N_packets＋ΣDNP）＝（3000［T］−500［T］）／5［packet］＝500［T/packet］となる。
【手続補正２】
【補正対象書類名】明細書
【補正対象項目名】０１５３
【補正方法】変更
【補正の内容】
【０１５３】
なお、式（４）において、F_i_Dataは、Data PLPのT2フレームのF_iの値、F_i_CommonはCommon PLPのT2フレームのF_iの値をそれぞれ示す。また、T2_frame_lengthは、T2フレームの長さ（単位はT［us］）を示すものであって、先に述べた補正情報の１つである。すなわち、式（４）のTTOdiffの補正処理は、TTOdiff補正部５１によって実行される。
【手続補正３】
【補正対象書類名】図面
【補正対象項目名】図９
【補正方法】変更
【補正の内容】
【図９】
2011142422.tif 000001